(57)【特許請求の範囲】
【請求項１】
上ケースと下ケースとを接合して、内部の回路基板を格納した構成の通信機用マイクロホンであって、
上記下ケースに、上記下ケースの横側にあけた開口部から、その内部にあって通話の際に押す内部スイッチを押圧可能な押圧端部を挿入して配置した通話ボタンと、
上記押圧端部と上記内部スイッチとの間に備えた第１隔壁と、上記第１隔壁から上記開口部までを覆う第２隔壁によって囲んだ通話ボタン駆動室とを備え、
上記第１隔壁より内部方向および上記第２隔壁より上記上ケースの方向を防塵化することを特徴とする通信機用マイクロホン。
【請求項２】
前記第２隔壁を前記下ケースから着脱自在とし、
前記第１隔壁において、前記押圧端部と前記内部スイッチとを結ぶ線上に、前記第１隔壁の上辺から前記下ケースの底部方向に切り込んだ凹部を設け、
前記押圧端部からの押圧を前記内部スイッチに伝えると共に上記凹部を塞ぐ横栓であって、その横栓の上端を前記第２隔壁に密着させ、前記通話ボタン駆動室から前記第１隔壁より内部方向および前記上ケースの上記凹部上方への塵の進入を防止する横栓を備えたことを特徴とする請求項１記載の通信機用マイクロホン。
【請求項３】
前記通話ボタン駆動室の上方を含む前記上ケースに、通信用の操作部を備えることを特徴とする請求項１または２記載の通信機用マイクロホン。
【請求項４】
前記第２隔壁と前記横栓とを一体成形した防塵パッキンとしたことを特徴とする請求項２または３記載の通信機用マイクロホン。
【請求項５】
前記防塵パッキンを平面形状とし、前記第２隔壁と前記横栓とをつなぐ連結部を、前記防塵パッキンを取り付けた状態において折り曲げ可能な構成としたことを特徴とする請求項４記載の通信機用マイクロホン。
【請求項６】
前記防塵パッキンを取り付けた状態において、前記第２隔壁と前記横栓とが接触する前記第２隔壁に、前記連結部と前記横栓との曲部が前記第２隔壁に密着可能とする溝をつけたことを特徴とする請求項５記載の通信機用マイクロホン。
【請求項７】
前記第２隔壁と前記横栓とが接触する接触部と反対側となる前記第２隔壁の上面に、前記上ケースを前記下ケースにかぶせた際に前記第２隔壁を下方に押圧可能な複数の凸部を設けたことを特徴とする請求項２から６のいずれか１項記載の通信機用マイクロホン。
【請求項８】
前記凸部より後方に、前記凸部より低い突状の第２凸部を設けたことを特徴とする請求項７記載の通信機用マイクロホン。
【請求項９】
前記通話ボタンは、前記上ケースと前記下ケースに支持される軸を中心に回動して、前記内部スイッチを押す構成とし、前記軸が貫通する前記第２隔壁の穴の内周面に、上記軸と密着させるリブを有することを特徴とすることを特徴とする請求項１から８いずれか１項記載の通信機用マイクロホン。
【発明の詳細な説明】
【０００１】
【発明の属する技術分野】
本発明は、車載型あるいは携帯型の通信機に用いる通信機用マイクロホンに関する。
【０００２】
【従来の技術】
車載型あるいは携帯型の通信機に使用されている従来の通信機用マイクロホンとして、図７に示すような特開平９−１３９６９１号公報に開示されているマイクロホンが知られている。通信機１の通話は、マイクロホン２のプレストークスイッチ３を使って行われる。プレストークスイッチ３を押すと、こちら側からの通話ができて、プレストークスイッチ３を放すと相手側の通話が聞こえる。このように、プレストークスイッチ３は、通話中において何回も押される可動部分となっている。
【０００３】
このプレストークスイッチ３は、ただ機械的に押し込みできればよいわけではなく、プレストークスイッチ３を押したときに、カチッというタクト感を奏するのが好ましい。このため、プレストークスイッチ３の内部スイッチへの接触を板バネを介して行うと共に、プレストークスイッチ３の押し込む距離を長くすることによって、高ストロークを確保している。
【０００４】
一方、通信機用マイクロホンは、砂塵の舞う場所でも使用できることが要求される。このため、マイクロホンの多くには、防塵対策が施されてれいる。図８から図１０は、防塵対策を施している従来のマイクロホンを示す図である。
【０００５】
図９に示すように、図８のマイクロホン２の上ケース１０の下側となる下ケース２０には、マイクロホン２の回路基板を格納する防塵室３０と、防塵壁３１と、防塵壁３１を挟んで防塵室３０の隣に、プレストークスイッチの一部を格納する非防塵室４０とが設けられている。防塵壁３１には、プレストークスイッチの一端が防塵室３０内部の内部スイッチを押すために移動できるように、プレストークスイッチ用窓３２が設けられている。
【０００６】
図１０は、図９のＡで示す矢印の方向からみた非防塵室４０側の断面図である。図１０に示すように、防塵壁３１の略上央には、防塵のためのパッキン２５がはめ込まれてている。防塵室３０内の内部スイッチ（図示省略）は、開口部３ａから非防塵室４０に挿入配置したプレストークスイッチがパッキン２５を介して押される。
【０００７】
【発明が解決しようとする課題】
しかし、上述のごとき従来のマイクロホン２には、次のような問題がある。従来のマイクロホンにおいて、プレストークスイッチの高ストロークを確保した上で防塵を確実にする方法として、次の２つの方法が採用されている。１つは、図１０に示す下ケース２０の側に防塵壁３１を設けて、図１０に示すＢの位置で上ケース１０内壁と防塵壁３１とを接合する方法である。もう１つは、防塵壁３１を上下半割りして、それぞれ上ケース１０および下ケース２０に一体成形し、組み立てた状態で、図１０に示すＣの位置で接合する方法である。
【０００８】
前者の場合には、防塵壁３１に穴をあけて、プレストークスイッチ用窓３２を設けることになる。このため、下ケース２０の加工に手間を要し、製造コストが高くなる。一方、後者の場合には、半割りした上下２方向の防塵壁３１が噛み合わないことにより、わずかな隙が生じ、防塵効果が低くなる問題がある。このため、品質管理で行われる防塵試験（ＭＩＬ−ＳＴＤ−８１０Ｄ）に合格するマイクロホンを歩留まり良く製造することが難しい。
【０００９】
また、図１０に示すように、上ケース１０から下ケース２０までを防塵壁３１で隔てると、非防塵室４０側の上方に位置する上ケース１０に、操作ボタンおよびそのための回路基板を設けることができない。このため、操作ボタン等を防塵室３０側に寄せて配置しなければならず、外観が悪くなる。外観を良くすべく、操作ボタンの配置バランスをとろうとすると、非防塵室４０と反対側に余分なスペースを設ける必要から、マイクロホンの大型化を招く問題がある。
【００１０】
本発明は、上記のような課題に鑑み、プレストークスイッチの高ストロークを確保しつつ防塵性に優れ、小型で低コストな通信機用マイクロホンを提供することを目的とする。
【００１１】
【課題を解決するための手段】
上記目的を達成するために、請求項１記載の通信機用マイクロホンは、上ケースと下ケースとを接合して、内部の回路基板を格納した構成の通信機用マイクロホンであって、下ケースに、下ケースの横側にあけた開口部から、その内部にあって通話の際に押す内部スイッチを押圧可能な押圧端部を挿入して配置した通話ボタンと、押圧端部と内部スイッチとの間に備えた第１隔壁と、第１隔壁から開口部までを覆う第２隔壁によって囲んだ通話ボタン駆動室とを備え、第１隔壁より内部方向および第２隔壁より上ケースの方向を防塵化するようにしている。このため、非防塵領域を、本体の下ケースの横側のみとすることができる。したがって、上ケースおよび下ケースの成形が容易であると共に、上ケースと下ケースの噛み合わせの悪さに起因する隙間が生じない。
【００１２】
また、請求項２記載の発明は、請求項１記載の通信機用マイクロホンにおいて、第２隔壁を下ケースから着脱自在とし、第１隔壁において、押圧端部と内部スイッチとを結ぶ線上に、第１隔壁の上辺から下ケースの底部方向に切り込んだ凹部を設け、押圧端部からの押圧を内部スイッチに伝えると共に凹部を塞ぐ横栓であって、その横栓の上端を第２隔壁に密着させ、通話ボタン駆動室から第１隔壁より内部方向および上ケースの凹部上方への塵の進入を防止する横栓を備えるようにしている。このため、マイクロホンの組立が容易となる。加えて、横栓以外からのほこりの侵入ルートが完全になくなるので、防塵効果が高くなる。
【００１３】
また、請求項３記載の発明は、請求項１または２記載の通信機用マイクロホンにおいて、通話ボタン駆動室の上方を含む上ケースに、通信用の操作部を備えるようにしている。このため、通信機用マイクロホンの通信機能を高めることができると同時に、ボタン等の配置のために、通話ボタンと反対側に余分なスペースをとらなくて良い。したがって、通信機用マイクロホンの小型化を図ることができる。
【００１４】
また、請求項４記載の発明は、請求項２または３記載の通信機用マイクロホンにおいて、第２隔壁と横栓とを一体成形した防塵パッキンとするようにしている。このため、防塵用の第２隔壁と横栓を一体成形でき、製造コストを低減できる。
【００１５】
また、請求項５記載の発明は、請求項４記載の通信機用マイクロホンにおいて、防塵パッキンを平面形状とし、第２隔壁と横栓とをつなぐ連結部を、防塵パッキンを取り付けた状態において折り曲げ可能な構成とするようにしている。このため、第２隔壁と横栓とを平面形状に一体成形でき、製造コストをさらに低くできると共に、第２隔壁と横栓との連結部から容易に曲げて、防塵パッキンをセットすることができる。
【００１６】
請求項６記載の発明は、請求項５記載の通信機用マイクロホンにおいて、防塵パッキンを取り付けた状態において、第２隔壁と横栓とが接触する第２隔壁に、連結部と横栓との曲部が第２隔壁に密着可能とする溝をつけるようにしている。このため、折り曲げた連結部は、第２隔壁と横栓との接触の妨げとはならず、両者を密着させることができる。したがって、防塵効果を高めることができる。
【００１７】
また、請求項７記載の発明は、請求項２から６のいずれか１項記載の通信機用マイクロホンにおいて、第２隔壁と横栓とが接触する接触部と反対側となる第２隔壁の上面に、上ケースを下ケースにかぶせた際に第２隔壁を下方に押圧可能な複数の凸部を設けるようにしている。このため、上ケースを下ケースにかぶせた際に、第２隔壁が下方に押されて、横栓との隙間が完全に消失する。しかも、複数の凸部をもって下方に押されるので、片押しになりにくい。したがって、第２隔壁と横栓との密着性がさらに良くなる。
【００１８】
また、請求項８記載の発明は、請求項７記載の通信機用マイクロホンにおいて、凸部より後方に、凸部より低い突状の第２凸部を設けるようにしている。このため、複数の凸部が下方に押された際に、てこの原理で複数の凸部のない側が持ち上がったとしても、第２凸部が上ケースの内側で止まる。したがって、第２隔壁が第１隔壁からはずれる危険性がない。さらに、第２凸部は、複数の凸部よりも低いので、第２凸部の方が上ースに先に接触して、複数の凸部のある側が持ち上がる危険性がない。このため、第２隔壁と横栓との密着性を高く保つことができる。
【００１９】
また、請求項９記載の発明は、請求項１から８のいずれか１記載の通信機用マイクロホンにおいて、通話ボタンは、上ケースと下ケースに支持される軸を中心に回動して、内部スイッチを押す構成とし、軸が貫通する第２隔壁の穴の内周面に、軸と密着させるリブを有するようにしている。このため、軸を貫通させる穴を通じて、ほこり等が防塵室側にある回路基板へと侵入してくる危険性が低い。
【００２０】
【発明の実施の形態】
以下、図面に示す実施の形態により、本発明を詳細に説明する。
【００２１】
図１は、車載型あるいは携帯型の通信機に使用されている通信機用マイクロホン（以下、単に、「マイクロホン」という）の上ケースを分離した下ケース２０と、その一部を覆う防塵パッキン５０の平面図である。まず、図１の（Ａ）に示す下ケース２０について説明する。防塵対策として、マイクロホンの回路基板３４を設置する防塵室３０と、プレストークスイッチ３の設置箇所となる非防塵室４０とを、第１隔壁である防塵壁３１によって隔離するようにしている。回路基板３４を設置する防塵室３０には、交信用の内部スイッチとなるタクトスイッチ３３が設けられている。
【００２２】
タクトスイッチ３３と、プレストークスイッチ３の内部側に取り付けた板バネ４とは、防塵壁３１の凹部であるラバーコンタクト用ソケット３１ａに嵌合密着された、横栓としてのラバーコンタクト５６とを挟んで対峙するように設けられている。防塵パッキン５０は、第２隔壁である上パッキン５１と、ラバーコンタクト５６と、これら５１，５６を連結する連結部５５とから構成されている。防塵パッキン５０は、平面形状であるため、低コストにて製造できる。ラバーコンタクト５６は、ラバーコンタクト用ソケット３１ａに、嵌合密着した状態で挿入される。これによって、回路基板３４のある防塵室３０に、ほこりが侵入しないようになっている。
【００２３】
ラバーコンタクト５６の中央部には、円筒形に一体化に形成されるラバーコンタクトボタン５７がある。プレストークスイッチ３が押されると、板バネ４が防塵室３０方向に移動する。これによって、板バネ４の押圧端部４ａがラバーコンタクトボタン５７を押す。この結果、ラバーコンタクトボタン５７が、タクトスイッチ３３を押し、タクトスイッチ３３がオンとなる。ラバーコンタクトボタン５７は、ラバーコンタクト５６内部に、薄肉を介して設けられている。このため、ラバーコンタクトボタン５７は、板バネ４の押圧を受けると、容易に防塵室３０側に移動すると共に、板バネ４の押圧が解除されると、元に戻る。
【００２４】
マイクロホンの下ケース２０の片側一部分に限定される非防塵室４０に設けられたプレストークスイッチ３は、バネ状に加工された板バネ４と、板バネ保持部分６と、固定軸５と、親指のあたるキーの部分とから構成されている。プレストークスイッチ３は、外側から押されると、固定軸５を中心に時計回りに回動する。一方、プレストークスイッチ３をはなすと、板バネ４の弾性によって、プレストークスイッチ３は、元の位置に戻る方向に回動する。板バネ４は、高ストロークの非防塵室４０内を、ラバーコンタクトボタン５７に接触しながらたわんで移動する。このため、スイッチを押している感触が得られる。
【００２５】
なお、スイッチストッパ３５は、プレストークスイッチ３の押し過ぎ防止用に設けられている。一方、コネクタケーブル取付口２２ａは、コネクタケーブルのモジュラージャックを挿入する防塵用ソケットである。
【００２６】
次に、図１（Ｂ）に示す防塵パッキンについて説明する。
【００２７】防塵パッキン５０は、マイクロホンの下ケース２０に設けられた非防塵室４０と防塵室３０とを隔絶するために設けられている。防塵パッキン５０のラバーコンタクト５６は、防塵壁３１から横方向にほこりを入れないためのものである。また、上パッキン５１は、上ケース１０側にほこりを入れないようにするためのものである。
【００２８】
上パッキン５１にあけられたプレストークスイッチ固定穴５３は、プレストークスイッチ３に設けられている固定軸５を通過させるために設けられている。通過させた固定軸５とプレストークスイッチ固定穴５３との間に隙間があると、そこからほこりが侵入し、防塵効果が低下する危険性がある。このため、プレストークスイッチ固定穴５３の内側周辺にリブを設けて、固定軸５と密着するようにしている。
【００２９】
また、防塵パッキン５０を下ケース２０にセットした状態で、上パッキン５１とラバーコンタクト５６が接触する部分の上方にあたる上パッキン５１上面には、３つの凸部５２が並んで設けられている。凸部５２の裏側は、ラバーコンタクト５６との接触部分である。ここに隙間があると、防塵効果が低下する。このため、上カバー１０から押圧を受けて、上パッキン５１とラバーコンタクト５６との密着性を高められるように、凸部５２を設けている。尚、ラバーコンタクト５６の幅より若干長めに、ほぼ同じ高さの凸部５２を３個配置しているので、ラバーコンタクト５６と上パッキン５１との接触が片押しとならず、均一に押すことができる。
【００３０】
上パッキン５１の裏側には、防塵壁３１を狭時する溝が設けられている。上パッキン５１は、この溝を防塵壁３１にはめ込んでセットされている。上述の３個の凸部５２の上から押圧が加わると、てこの原理により、コネクタケーブル取付口２２ａ側が持ち上がる危険性がある。このため、上パッキン５１の持ち上がりを最小限にくいとめるべく、上パッキン５１のコネクタケーブル取付口２２ａ側に、第２凸部５３を設けている。ただし、第２凸部５３が、凸部５２に優先して上ケース１０の押圧を受けると、凸部５２のある側が持ち上がる。そうなると、上パッキン５１とラバーコンタクト５６との間に隙間が生じる危険性がある。したがって、第２凸部５３の高さは、凸部５２の高さよりも低くしている。
【００３１】
図２は、防塵パッキン５０の底面図、すなわち、非防塵室４０内部から防塵パッキン５０をみた図である。上パッキン５１が防塵壁３１と接する部分には、第３凸部５８，５８と、第４凸部５９，５９が設けられている。これら第３凸部５８，５８と第４凸部５９，５９によって、防塵壁３１を挟持する溝が形成されている。
【００３２】
図３は、ラバーコンタクト５６を上に持ち上げた状態で、防塵パッキン５０を防塵室３０側からみた図である。上パッキン５１の側壁に設けた溝５１ａは、ラバーコンタクト５６をラバーコンタクト用ソケット３１ａに嵌合密着させるための溝である。次に、これについて、具体的に説明する。
【００３３】
図４は、防塵パッキン５０を下ケース２０に取り付ける状態を示す斜視図である。図４の（Ａ）は、ラバーコンタクト５６をラバーコンタクト用ソケット３１ａにはめこむ前の状態である。図４の（Ｂ）は、ラバーコンタクト５６のみをラバーコンタクト用ソケット３１ａにはめこんだ状態を示す図である。下ケース２０の非防塵室４０は、上パッキン５１で上面を覆われると共に、ラバーコンタクト５６で防塵室３０側を塞がれている。上パッキン５１とラバーコンタクト５６をセットすると、両者５１，５６をつなぐ連結部としての薄手の継手ラバー５５は、Ｕ字を描いて撓むことになる。撓んだ継手ラバー５５の厚みが、上パッキン５１とラバーコンタクト５６との密着性に悪影響を及ぼさないようにするために、両者５１，５６の接触部にあたる上パッキン５１側壁に、溝５１ａを設けている。
【００３４】
図５の（Ａ）および（Ｂ）は、上パッキン５１と、ラバーコンタクト５６とをセットした状態において、上バッキン５１とラバーコンタクト５６のみを、それぞれ防塵室３０側およびコネクタケーブル取付口２２ａ側からみた図である。図５の（Ｂ）における矢印Ａで示す部分のように、ラバーコンタクト５６と継手ラバー５５との接触部分は、溝５１ａにはまり、上パッキン５１とラバーコンタクト５６とが密着できるようになっている。特に、継手ラバー５５は、上パッキン５１およびラバーコンタクト５６の厚みより薄くしているので、両者５１，５５を離す方向に働く危険性がなく、容易に曲げられる。
【００３５】
図６に、コネクタケーブル取付口２２ａ側から見たマイクロホンの非防塵室４０の断面図を示す。この図に示されるように、下ケース２０にのみ非防塵室４０が設けられるようにして、上ケース１０側および下ケース２０の図６における右側を防塵領域としている。このため、小型であっても、上ケース１０の全面を有効活用できる。すなわち、回路基板１４およびテンキー等のキーパッド８０を、非防塵室４０の上方に設けることができる。
【００３６】
【発明の効果】
本発明によれば、プレストークスイッチの高ストロークを確保しつつ防塵性に優れ、小型で低コストな通信機用マイクロホンを提供するこができる。
【図面の簡単な説明】
【図１】本発明に係わる通信機用マイクロホンの実施の形態の下ケース（Ａ）と防塵パッキン（Ｂ）の平面図である。
【図２】図１の（Ｂ）に示す防塵パッキンの底面図である。
【図３】図１の（Ｂ）に示す防塵パッキンを防塵室側から見た図である。
【図４】図１の（Ｂ）に示す防塵パッキンを同図の（Ａ）に示す下ケースにセットする状態を示す斜視図であり、（Ａ）はセット前を、（Ｂ）はラバーコンタクトをセットした状態を示す図である。
【図５】図１の（Ａ）に示す下ケースに、同図の（Ｂ）に示す上パッキンとラバーコンタクトとをセットにした状態における、上パッキンとラバーコンタクトを示す図である。（Ａ）は防塵室側から見た図で、（Ｂ）は、コネクタケーブル取付口側から見た図である。
【図６】本発明に係わる通信機用マイクロホンの実施の形態の非防塵室側の断面図である。
【図７】従来の携帯型の通信機（無線機）を示す図である。
【図８】従来の通信機用マイクロホンの斜視図である。
【図９】図８の通信機用マイクロホンを上ケースと下ケースに分離したときの斜視図である。
【図１０】図８の通信機用マイクロホンの非防塵室側の断面図である。
【符号の説明】
３    プレストークスイッチ（通話ボタン）
３ａ  プレストークスイッチ用窓（開口部）
４ａ  押圧端部
５    固定軸（軸）
１０    上ケース
１４，３４  回路基板
２０    下ケース
３１    防塵壁（第１隔壁）
３１ａ  ラバーコンタクト用ソケット
３２    タクトスイッチ用窓（凹部）
３３    タクトスイッチ（内部スイッチ）
４０    非防塵室（通話ボタン駆動室）
５０    防塵パッキン
５１    上パッキン（第２隔壁）
５１ａ  溝
５２    凸部
５３    第２凸部
５４    固定軸穴（穴）
５５    継手ラバー（連結部）
５６    ラバーコンタクト（横栓）
８０    キーパッド（操作部）
【図１】
0003576883.tif 000002
【図２】
0003576883.tif 000003
【図３】
0003576883.tif 000004
【図４】
0003576883.tif 000005
【図５】
0003576883.tif 000006
【図６】
0003576883.tif 000007
【図７】
0003576883.tif 000008
【図８】
0003576883.tif 000009
【図９】
0003576883.tif 000010
【図１０】
0003576883.tif 000011